(57)【特許請求の範囲】
【請求項１】
被取付部に支持される器具本体と、
前記器具本体の中央部に形成された貫通孔に設けられた筒状の器具取付部と、
前記器具取付部の内部に固定され、前記被取付部に設けられた被取付部固定部材に固定可能な器具本体固定部材と、
前記器具取付部の周囲に設けられ、前記器具本体における前記被取付部とは反対側に設けられた光源部と、
前記器具本体固定部材と前記光源部を接続する電源線と、
前記器具取付部の内部に設けられ、前記電源線の余長部が係止される突起部と、を備え、
前記光源部は、
前記器具取付部を迂回するような平面形状に形成され、前記器具本体に支持される回路基板と、
前記回路基板における前記器具本体とは反対側の表面において、前記器具取付部に対して近い領域に設けられた電源部を覆う電源部カバーと、
前記回路基板における前記表面において、前記器具取付部に対して遠い領域に設けられた発光部を覆う発光部カバーと、を有し、
前記電源部は、前記回路基板に実装された常夜灯およびリモコン用受光部と、前記常夜灯および前記リモコン用受光部を囲む壁部と、前記常夜灯および前記リモコン用受光部を覆う透光部材と、を有し、
前記透光部材は、前記電源部カバーに設けられた開口から外部露出しており、
前記常夜灯は前記器具取付部の軸線側に配置され、前記リモコン用受光部は前記常夜灯より前記発光部側に配置され、前記壁部の内壁部は前記壁部の外壁部より下方まで張り出されている照明器具。
【請求項２】
請求項１に記載の照明器具において、
前記突起部は、前記器具取付部の軸線に対して直交する面に沿って枠状に連続している照明器具。
【請求項３】
請求項１または請求項２に記載の照明器具において、
前記器具本体の表面における前記回路基板の外縁部に対応する位置に設けられた凸部は、前記発光部カバーにおける前記発光部側の面に対面する照明器具。
【発明の詳細な説明】
【技術分野】
【０００１】
本発明は、器具本体固定部材から器具本体に延びる電源線を備えた照明器具に関する。
【背景技術】
【０００２】
照明器具として、器具本体の中央の貫通孔に筒状の器具取付部が設けられ、器具取付部の周囲に光源部が支持され、光源部に電源線が電気的に接続されるものが知られている。筒状の器具取付部内を通って器具本体内に引き出された電源線が電源回路を経て光源部に電気的に接続される（特許文献１）。
【先行技術文献】
【特許文献】
【０００３】
【特許文献１】特開２０１３−１６８２４５号公報
【発明の概要】
【発明が解決しようとする課題】
【０００４】
ところで、特許文献１の照明器具は、電源線が筒状の器具取付部内を通って器具本体内に引き出される。電源線の長さは、接続箇所に対して接続できないことがないよう、通常、余裕持たせた長さとしている。このため、接続後において、筒状の器具取付部から電源線の余分な長さ部分である余長部が下方に突出することが考えられる。筒状の器具取付部から電源線の余長部が突出した場合、電源線の余長部で光源部から照射される光が遮光される虞がある。さらに、電源線の余長部でリモコン操作部から出力される電波が遮られてリモコン感度を好適に保ち難くなる虞がある。
また、光源部の光を遮らない位置や、リモコン受光部を遮らない位置に電源線の余長部が突出されていても、光源部を覆うカバーに電源線の余長部の影が写ることが考えられる。
【０００５】
本発明は、前述した課題を解決するためになされたものであり、その目的は、電源線の余長部による下方への突出が抑えられる照明器具を提供することにある。
【課題を解決するための手段】
【０００６】
本発明の照明器具は、被取付部に支持される器具本体と、前記器具本体の中央部に形成された貫通孔に設けられた筒状の器具取付部と、前記器具取付部の内部に固定され、前記被取付部に設けられた被取付部固定部材に固定可能な器具本体固定部材と、前記器具取付部の周囲に設けられ、前記器具本体における前記被取付部とは反対側に設けられた光源部と、前記器具本体固定部材と前記光源部を接続する電源線と、前記器具取付部の内部に設けられ、前記電源線の余長部が係止される突起部と、を備え、前記光源部は、前記器具取付部を迂回するような平面形状に形成され、前記器具本体に支持される回路基板と、前記回路基板における前記器具本体とは反対側の表面において、前記器具取付部に対して近い領域に設けられた電源部を覆う電源部カバーと、前記回路基板における前記表面において、前記器具取付部に対して遠い領域に設けられた発光部を覆う発光部カバーと、を有し、前記電源部は、前記回路基板に実装された常夜灯およびリモコン用受光部と、前記常夜灯および前記リモコン用受光部を囲む壁部と、前記常夜灯および前記リモコン用受光部を覆う透光部材と、を有し、前記透光部材は、前記電源部カバーに設けられた開口から外部露出しており、前記常夜灯は前記器具取付部の軸線側に配置され、前記リモコン用受光部は前記常夜灯より前記発光部側に配置され、前記壁部の内壁部は前記壁部の外壁部より下方まで張り出されている。
【発明の効果】
【０００７】
本発明の照明器具によれば、電源線の余長部による下方への突出が抑えられる照明器具を提供できる。
【図面の簡単な説明】
【０００８】
【図１】本発明に係る照明器具を示す分解斜視図
【図２】図１の照明器具を組み付けた状態を示す斜視図
【図３】図２の照明器具を被取付部である造営材としての天井に取り付けた状態を示す側面図
【図４】図３の照明器具の要部を示す断面図
【図５】図２の照明器具から電源部カバーおよび発光部カバーを除去した状態を示す底面図
【図６】図２の照明器具の発光部カバーを想像線で示す斜視図
【図７】図４のＩ部拡大図
【図８】図７のＩＩ−ＩＩ線で破断した状態を示す斜視図
【図９】図７のＩＩＩ部拡大図
【図１０】実施形態の突起部の変形例を示す断面図
【発明を実施するための形態】
【０００９】
以下、実施形態に係る照明器具について図面を参照して説明する。
（実施形態）
図１，図２に示すように、照明器具１０は、被取付部である造営材としての天井１１に取り付けられる器具本体１２と、器具本体１２の中央部に設けられる筒状の器具取付部１３とを備えている。また、器具取付部１３には器具本体固定部材１５（いわゆるアダプタ）が取り付けられ、この器具本体固定部材１５は図３に示す被取付部固定部材１４（いわゆる引掛けシーリング）に固定されている。
【００１０】
造営材は、例えば、住宅のリビングや寝室、玄関などの天井１１を形成する部材である。天井１１に器具本体１２が支持されている。
器具本体１２の中央部に貫通孔１７が形成され、貫通孔１７が器具取付部１３の内側に配置されている。
【００１１】
図３に示すように、天井１１に被取付部固定部材１４が設けられ、被取付部固定部材１４に器具本体固定部材１５が固定されることにより、天井１１に照明器具１０が取り付けられる。被取付部固定部材１４が天井１１の裏側において電線と結線されている。
天井１１に照明器具１０（すなわち、器具本体１２）が取り付けられた状態では、天井１１および器具本体１２間に介在するクッション１９によりぐらつき等は生じない。
【００１２】
なお、実施形態では、平面視において円板状の器具本体１２（図１参照）を天井１１に直接取り付ける例について説明するが、これに限定するものではなく、平面視において角形状の器具本体を用いる場合に適用できる。
また、天井側取付部材に係合部材を係合させ、この係合部材を介して電線により器具本体１２を吊り下げる場合に適用できる。また、チェーンやワイヤ等を用いて天井１１から器具本体１２を吊り下げる場合にも適用可能である。
【００１３】
また、照明器具１０は、図４に示すように、器具取付部１３の外側に設けられる筒状の絶縁部（器具取付部）２１と、絶縁部２１を周回するように配置される光源部２３とを備えている。また、照明器具１０は、光源部２３に接続される電源線２５と、電源線２５の余長部２６が係止される突起部２８とを備えている。
【００１４】
さらに、照明器具１０は、図２、図３に示すように、器具本体１２に取り付けられるグローブ３１を備えている。グローブ３１は、乳白色の透光性部材であり、器具本体１２のグローブ取付部材３２に係合突起３３（６個のうちの３個を使用）で下方から着脱自在に取り付けられる。
この状態において、器具本体１２、光源部２３や電源線２５がグローブ３１で覆われる。
【００１５】
図４、図５に示すように、筒状の絶縁部２１は、器具本体１２の貫通孔１７、器具取付部１３および器具本体固定部材１５の外側で、かつ、光源部２３の内側に設けられている。すなわち、絶縁部２１を周回するように光源部２３（具体的には、電源部４２）が配置され、電源部４２と絶縁部２１の内側とが絶縁部２１で絶縁される。
【００１６】
絶縁部２１を周回するように光源部２３が配置されている。光源部２３は、器具本体１２における天井１１とは反対側の表面１２Ａに支持されている。光源部２３に接続される電源線２５は、器具本体固定部材１５から器具本体１２の下方に引き出されるコネクタ付の電線である。
被取付部固定部材１４に器具本体固定部材１５が接続され、器具本体固定部材１５から電源線２５が下方に引き出される。引き出された電源線２５が光源部２３の回路基板４１にコネクタ接続されることにより、電源線２５と回路基板４１とが電気的に接続される。
【００１７】
ここで、電源線２５が回路基板４１にコネクタ接続された状態で、電源線２５の余長部２６が絶縁部２１の下端部２１Ａから下方にたれ下がることが考えられる。
そこで、絶縁部２１の内部に突起部２８を設け、突起部２８に電源線２５の余長部２６を係止するようにした。突起部２８は、絶縁部２１の下端部２１Ａにおいて、器具取付部１３の軸線３５に対して直交する面（矢印Ａ方向の面）に沿って枠状に連続している。
【００１８】
突起部２８は、絶縁部２１の下端部２１Ａの内面から軸線３５に向けて断面略クランク状に張り出されることにより絶縁部２１の内部に設けられている。突起部２８の底部２８Ａに電源線２５の余長部２６が載せられることにより、突起部２８に電源線２５の余長部２６が係止される。
よって、電源線２５の余長部２６を絶縁部２１の内部に収容でき、電源線２５の余長部２６による下方への突出が抑えられる。
【００１９】
また、突起部２８を枠状に連続させ、連続させた突起部２８を器具取付部１３の軸線３５に対して直交する面に沿わせた。これにより、連続させた突起部２８に電源線２５の余長部２６を容易に、かつ、確実に係止できる。
【００２０】
図１、図５に示すように、光源部２３は、器具本体１２に支持される回路基板４１と、回路基板４１の電源部４２を覆う電源部カバー４３と、回路基板４１の発光部４４を覆う発光部カバー４５とを有する。
器具本体１２の天井１１の反対側の表面１２Ａにおいて、筒状の絶縁部２１の外側に凹部４７（図７参照）が形成され、凹部４７に回路基板４１が支持されている。
【００２１】
回路基板４１は、中央に開口部４１Ａが形成され、外縁部４１Ｂが複数の直線縁および複数の湾曲縁で略八角形に形成されている。回路基板４１の開口部４１Ａが絶縁部２１の外側に配置される。すなわち、回路基板４１は、器具取付部１３（具体的には、絶縁部２１）を迂回するような平面形状に形成され、器具本体１２の表面１２Ａに支持される。
【００２２】
回路基板４１における器具本体１２とは反対側の表面４１Ｃにおいて、器具取付部１３（絶縁部２１）に対して近い領域に電源部４２が環状に設けられる。回路基板４１の表面４１Ｃにおいて、器具取付部１３に対して遠い領域にＬＥＤ（Light-emitting Diode）の発光部４４が環状に設けられる。
【００２３】
すなわち、電源部４２と発光部４４とが回路基板４１に一体に形成され、かつ、電源部４２の回路基板と発光部４４の回路基板とが二重リング形状に形成されている。
発光部４４から照射される光が、発光部カバー４５およびグローブ３１を透過して住宅のリビングや寝室、玄関などの室内などに出射される。発光部カバー４５は環状に形成され、発光部カバー４５の内縁部４５Ｃ近傍が複数のビス５１で器具本体１２の表面４１Ｃに取り付けられている。
【００２４】
図６、図７に示すように、器具本体１２の凹部４７における回路基板４１の外縁部４１Ｂに対応する位置に複数の凸部４８が設けられる。複数の凸部４８は、発光部カバー４５における発光部４４側の面４５Ａに対面する位置に配置される。
よって、発光部カバー４５の外縁部４５Ｂが矢印Ｂ方向に変形する場合に、外縁部４５Ｂの矢印Ｂ方向への変形を凸部４８で規制できる。これにより、発光部カバー４５の外縁部４５Ｂが発光部４４に接触することを防止できる。
【００２５】
また、器具本体１２の凹部４７に複数の凸部４８が設けられることにより、発光部カバー４５および凸部４８間の間隔が小さく抑えられる。これにより、発光部カバー４５および凸部４８間から回路基板４１側に指等が入り込むことを凸部４８で抑えることができる。
【００２６】
さらに、器具本体１２の凹部４７における発光部カバー４５の外縁部４５Ｂに対応する位置に段差部４９が形成されている。器具本体１２の凹部４７に発光部カバー４５が配置されることにより、発光部カバー４５の外縁部４５Ｂが外周側から段差部４９で覆われる。
これにより、発光部カバー４５の外縁部４５Ｂが矢印Ｃ方向に変形しても、発光部カバー４５の外縁部４５Ｂおよび段差部４９間から回路基板４１側に指等が入り込むことを抑えることができる。
【００２７】
このように、器具本体１２の凹部４７に複数の凸部４８を設け、器具本体１２に段差部４９を設けた。これにより、発光部カバー４５の外縁部４５Ｂを器具本体１２に取り付けるビスを不要にでき、部品点数を減らすことができる。
【００２８】
電源部カバー４３は、略ドーム状（すなわち、略半球形状）に形成されている。電源部カバー４３は、回路基板４１の表面４１Ｃのうち電源部４２と発光部４４との境界４１Ｄに外周部４３Ａが設けられ、絶縁部２１の下端部２１Ａに内周部４３Ｂが係止されている。電源部カバー４３には開口５２が形成されている。
【００２９】
図８、図９に示すように、電源部４２は、回路基板４１のうち開口５２に対応する位置に実装されたＬＥＤの常夜灯５４およびリモコン用受光部５５と、常夜灯５４およびリモコン用受光部５５を囲む壁部５６とを有する。また、電源部４２は、常夜灯５４およびリモコン用受光部５５を覆う透光部材５７とを有する。
【００３０】
常夜灯５４が絶縁部２１（すなわち、器具取付部１３の軸線３５）側に配置され、常夜灯５４より発光部４４側にリモコン用受光部５５が配置されている。常夜灯５４から照射される光が、透光部材５７およびグローブ３１を透過して住宅のリビングや寝室、玄関などの室内などに出射される。
回路基板４１のうち常夜灯５４に隣接する部位に報知部５８が実装されている。報知部５８は、明るさセンサー、ブザーやスピーカー等に用いられる。
【００３１】
壁部５６は、常夜灯５４およびリモコン用受光部５５を囲むように平面視略矩形状に形成され（図１も参照）、下部が外部に露出するように開口されている。常夜灯５４およびリモコン用受光部５５が壁部５６で囲まれることにより、常夜灯５４およびリモコン用受光部５５の絶縁性等が確保される。
【００３２】
さらに、壁部５６は、絶縁部２１（すなわち、器具取付部１３の軸線３５）側の内壁部５６Ａが、リモコン用受光部５５の外壁部５６Ｂより下方まで張り出されている。
壁部５６内に透光部材５７が収容され、透光部材５７で常夜灯５４およびリモコン用受光部５５が覆われている。透光部材５７の底部５７Ａが壁部５６の開口に配置されている。
【００３３】
透光部材５７は、電源部カバー４３に設けられた開口５２から底部５７Ａが外部露出されている。これにより、常夜灯５４から照射された光６１を、住宅のリビングや寝室、玄関などの室内などに透光部材５７を経て好適に出射させることができる。
また、リモコン操作部（図示せず）から出力される電波を、透光部材５７を経てリモコン用受光部５５に伝えることができる。これにより、照明器具１０のリモコン感度を好適に保つことができる。
【００３４】
さらに、常夜灯５４が絶縁部２１（図４参照）側に配置され、常夜灯５４より発光部４４側にリモコン用受光部５５が配置されている。また、壁部５６の内壁部５６Ａが外壁部５６Ｂより下方まで張り出されている。
よって、リモコン操作部から出力される電波６２を内壁部５６Ａ、外壁部５６Ｂで反射させてリモコン用受光部５５に伝えることができる。これにより、照明器具１０のリモコン感度を一層好適に保つことができる。
【００３５】
ここで、図４に示すように、絶縁部２１の突起部２８に電源線２５の余長部２６が係止されることにより、電源線２５の余長部２６が絶縁部２１の内部に収容され、余長部２６の下方への突出が抑えられる。よって、電源線２５の余長部２６を発光部４４や常夜灯５４の照射範囲から回避させることができる。
これにより、発光部４４や常夜灯５４から照射される光が電源線２５の余長部２６で遮られることを防止でき、発光部４４や常夜灯５４から照射される光を、住宅のリビングや寝室、玄関などの室内などに好適に出射させることができる。
【００３６】
さらに、電源線２５の余長部２６が絶縁部２１の内部に収容されることにより、リモコン操作部から出力される電波が電源線２５の余長部２６で遮られることを防止できる。これにより、照明器具１０のリモコン感度を好適に保つことができる。
【００３７】
加えて、電源線２５の余長部２６が絶縁部２１の内部に収容されることにより、光源部２３を覆うグローブ３１に電源線２５の余長部２６の影が写ることを防止できる。これにより、住宅のリビングや寝室、玄関などの室内などに自然な光を投影できる。
【００３８】
（変形例）
実施形態の照明器具１０では、絶縁部２１に沿って突起部２８を枠状に連続させる例について説明したが、図１０に示すように、間隔をおいて複数の突起部６５を連続させることも可能である。
複数の突起部６５は、絶縁部２１の下端部２１Ａにおいて、器具取付部１３（図４参照）の軸線３５に対して直交する面に沿って間隔をおいて形成されている。
【００３９】
複数の突起部６５に電源線２５の余長部２６が載せられることにより、突起部２８に電源線２５の余長部２６（図４参照）が係止される。
よって、電源線２５の余長部２６を絶縁部２１の内部に収容でき、電源線２５の余長部２６による下方への突出が抑えられる。
また、複数の突起部６５に代えて一つの突起部６５のみを絶縁部２１の下端部２１Ａに設けることも可能である。
【００４０】
以上説明した照明器具１０は、図１、図４に示すように、天井１１に支持される器具本体１２と、器具本体１２の中央部に形成された貫通孔１７に設けられた筒状の器具取付部１３とを備えている。また、照明器具１０は、器具取付部１３の内部に固定され、天井１１に設けられた被取付部固定部材１４に固定可能な器具本体固定部材１５とを備えている。
【００４１】
さらに、照明器具１０は、器具取付部１３を周回するように器具本体１２における天井１１とは反対側の表面１２Ａに支持される光源部２３と、器具本体固定部材１５から引き出され、光源部２３に接続される電源線２５とを備えている。また、照明器具１０は、器具取付部１３の内部に設けられ、電源線２５の余長部２６が係止される突起部２８とを備えている。
【００４２】
好ましくは、突起部２８は、器具取付部１３の軸線３５に対して直交する面に沿って枠状に連続している。
【００４３】
また、光源部２３は、器具取付部１３を迂回するような平面形状に形成され、器具本体１２に支持される回路基板４１を有する。また、光源部２３は、回路基板４１における器具本体１２とは反対側の表面４１Ｃにおいて、器具取付部１３に対して近い領域に設けられた電源部４２を覆う電源部カバー４３とを有する。また、光源部２３は、回路基板４１における表面４１Ｃにおいて、器具取付部１３に対して遠い領域に設けられた発光部４４を覆う発光部カバー４５を有する。
器具本体１２の表面１２Ａにおける回路基板４１の外縁部４１Ｂに対応する位置に設けられた凸部４８は、発光部カバー４５における発光部４４側の面４５Ａに対面する。
【００４４】
電源部４２は、回路基板４１に実装された常夜灯５４およびリモコン用受光部５５と、常夜灯５４およびリモコン用受光部５５を囲む壁部５６と、常夜灯５４およびリモコン用受光部５５を覆う透光部材５７とを有する。
透光部材５７は、電源部カバー４３に設けられた開口５２から外部露出している。
【００４５】
なお、本発明の照明器具は、前述した実施形態に限定されるものではなく適宜変更、改良等が可能である。
例えば、前記実施形態では、電源部４２と発光部４４とが回路基板４１に一体に二重リング形状に形成される例について説明したが、これに限らないで、電源部４２と発光部４４とを別回路基板に形成することも可能である。
【００４６】
但し、電源部４２の常夜灯５４およびリモコン用受光部５５を壁部５６で囲み、常夜灯５４およびリモコン用受光部５５を透光部材５７で覆う構成とする場合は、電源部４２と発光部４４とを回路基板４１に一体に形成することが好ましい。
【００４７】
また、前記実施形態では、絶縁部２１に突起部２８を設ける例について説明したが、これに限定するものではなく、器具取付部１３に突起部２８を設けることも可能である。
【００４８】
さらに、前記実施形態で使用した照明器具、造営材、器具本体、器具取付部、造営材固定部材、器具本体固定部材、貫通孔、絶縁部、光源部、電源線、電源線の余長部、突起部、回路基板、電源部、電源部カバー、発光部、発光部カバー、凸部、常夜灯、リモコン用受光部、壁部および透光部材等の形状や構成は例示したものに限定するものではなく適宜変更が可能である。
【符号の説明】
【００４９】
１０    照明器具
１１    造営材（天井）
１２    器具本体
１２Ａ  器具本体の表面
１３    器具取付部
１４    被取付部固定部材
１５    器具本体固定部材
１７    貫通孔
２１    絶縁部（器具取付部）
２３    光源部
２５    電源線
２６    電源線の余長部
２８，６５  突起部
３５    器具取付部の軸線
４１    回路基板
４１Ｂ  回路基板の外縁部
４１Ｃ  回路基板の表面
４２    電源部
４３    電源部カバー
４４    発光部
４５    発光部カバー
４８    凸部
５２    電源部カバーの開口
５４    常夜灯
５５    リモコン用受光部
５６    壁部
５７    透光部材
【図１】
0006403113.tif 000002
【図２】
0006403113.tif 000003
【図３】
0006403113.tif 000004
【図４】
0006403113.tif 000005
【図５】
0006403113.tif 000006
【図６】
0006403113.tif 000007
【図７】
0006403113.tif 000008
【図８】
0006403113.tif 000009
【図９】
0006403113.tif 000010
【図１０】
0006403113.tif 000011